(57)【要約】      （修正有）【課題】保管体の上下左右前後姿勢を保ち物品の収納保管搬送を行う装置。【解決手段】保管体１を取り付けて搬送する搬送チェーン７と、それに従動する保管体上下位置方向を保持する保管体１の方向を制御する制御チェーン７により搬送体の上下左右方向を保持して搬送を行ない、くわえて、物品の収納保管出し入れ取扱いを良好にすることを兼ね備える装置。【選択図】図１
2016108151.tif 000002
【特許請求の範囲】
【請求項１】
本発明は、物品を収納保管する棚状、または、箱状、および、容器状体（以後、物品を収納保管する棚状、または、箱状、および、容器状体を単に保管体と記す）を搬送する装置につき、保管体を取り付ける搬送ローラーチェーンと、それに従動して保管体の上下左右前後方向を保持する制御ローラーチェーンにより保管体の上下左右前後方向を保持し、物品の収納保管出し入れ取扱いを良好にして搬送する装置において、上下搬送の上下端部と横方向左右搬送の左右端部と斜め方向搬送の端部において搬送ローラーチェーンスプロケットと制御ローラーチェーンスプロケットが上下または左右ならびに斜め方向に偏芯し、保管体の上下左右前後方向を保持し物品収納保管と保管体の搬送を兼ね備えた装置に関する。
【発明の詳細な説明】
【技術分野】
【０００１】  物品の搬送機能と収納保管機能を兼ね備えた装置に関する。それを目的とする本装置と技術について、物品を収納保管する棚状、または、箱状、および、容器状体（以後、物品を収納保管する棚状、または、箱状、および、容器状体を単に保管体と記す）を搬送する装置において、保管体を取り付ける搬送ローラーチェーンと、それに従動して保管体の上下左右前後方向を保持する制御ローラーチェーンにより保管体の上下左右前後方向を保持し、物品の収納保管出し入れ取扱いを良好にして搬送する装置において、上下搬送の上下端部と横方向左右搬送の左右端部、または、斜め方向搬送の両端部において搬送ローラーチェーンスプロケットと制御ローラーチェーンスプロケットが上下または左右ならびに斜め方向に偏芯し、保管体の上下左右前後方向を保持し物品収納保管と保管体の搬送を兼ね備えた装置である。そのさい、搬送ローラーチェーンと制御ローラーチェーンに代わりコンベアーチェーン、または特殊チェーン、および歯付きベルト、並びにワイヤロープ等の可撓性材を用いることができる。また、制御ローラーチェーンスプロケットに代わりローラーチェーンガイドレールをもちいることができる。以後、ローラーチェーンまたは、コンベアーチェーン、特殊チェーン、および歯付きベルト、並びにワイヤロープ等の可撓性材を総称としてチェーンと称す。なお、搬送ローラーチェーンを以後、搬送チェーンと記し、制御ローラーチェーンを制御チェーンと記し、搬送ローラーチェーンスプロケットを搬送スプロケット、制御ローラーチェーンスプロケットを制御スプロケットと記す。
【背景技術】
【０００２】  従来、通常の搬送運行コンベアー等は物品搬送運行を主とし、物品収納保管する装置を別に設けている。医院におけるカルテ、官公署、事務所の書類棚等は利用者の手が届く範囲に設け、収納保管物品を人手で運ぶため収納管理範囲が狭まり収納保管量が限られる。なお、各室の上部空間の手が届かない場の利用を欠き、それを補うため脚立や梯子を用いている。物品製造場において、係員の手の届く範囲に部品や金型、治工具を置き、置き場が限られ、また、日日使用する製造物品用部品の先入れ後出しを招いている。自動倉庫形態の場合、搬送装置と物品収納保管装置は多くの場合、別である。
【発明の概要】
【発明が解決しようとする課題】
【０００３】  本装置は物品搬送と物品収納保管と物品の出し入れ取扱いの利便性を考慮した装置である。なお、業務の合理化に役立ち、連続性を良好にする。一例として病院、医院におけるカルテ、官公署、事務所の書類棚等を、例えば上下方向に搬送する構造のとき利用者の手が届かない範囲、すなわち、上下部に収納保管し必要に応じ必要書類棚等を手元に搬送して使用する。物品製造場においても同様であり、また、日日使用する製造物品用部品を収納した保管体を、例えば上下方向に搬送する構造のとき保管体を順次上部に搬送、上部で折り返してきた搬送体から製造物品用部品を取り出して使用できるため製造物品用部品の先入れ後出しをなくす。物品製造場における治工具についても同様にできる。
なお、多種多様の部品を保管、取り扱かう工場、なお、階層が多くなっているビル事務所での書籍書類の保管、各階層における書籍書類の共有化、各家庭でも同じく、なお、高齢化、体力の減少にこたえることを含め多岐に及ぶ。
【課題を解決するための手段】
【０００４】  本装置は、ロープウエイのごとき、座席、または、乗車体をワイヤロープ等に吊り下げた状態で搬送するのとは異なり、保管体を重ねたごとき状態で、例えば上下動装置において左側で上に移動、上部で右側に移行するさい搬送体の上下左右前後方向を保持する制御チェーンにより保管体が上下左右前後方向を保って移行、右側で上下に重なったごとき状態で下方に移行、下部で、制御チェーンにより搬送体が上下左右前後方向を保って左側に移行する。そのさい、回転部において保管体の重なり状態を解き、各保管体の間隔を開いて移行させる。
【発明の効果】
【０００５】  本装置利用による効果は多岐にわたる。その代表と考えられる事項を以下に記す。その１、汚染水処理。その２、書籍書類資料保管においては、特に官公署における長年にわたり保管を要する書籍書類資料保管。その３、物品製造場における日日の部品保管、治工具保管、これらにおいて各保管場、製造場の有効利用、先入れ後出し防止。その４、工場、事務所、住宅において、室内上部空間有効利用、上下階層間の物品の搬送。このさい、保管と搬送を兼ね備え、必要書籍書類物品の選び出し入れ利用を容易にする。その６、大型の装置では車の立体駐車装置、または、円形搬送装置も可能で観覧車。以上、多岐にわたる。
【図面の簡単な説明】
【０００６】  図面の簡単な説明を行うにあたり、搬送保管方式、縦上下、横左右、円形状、斜め方式の代表として縦上下方式を示して説明。くわえて、搬送スプロケットと制御スプロケットの偏芯方向が上下または左右ならびに斜め方向に偏芯する方式の代表として左右方向偏心を示して説明する。
【図１】本装置の全体図で，チェーン部の左側を示し、その反転形状の右側を略した図である。
【図２】図１の上部手前側スプロケット構造の上面視図である
【図３】図２のＡ部図である。
【図４】図２の正面図である。
【図５】本装置の手前方側、すなわち右側、搬送チェーンＢ列と制御チェーンＣ列の正面斜視図である。
【図６】図４と同部図である。
【図７】本装置利用の一例、水処理装置斜視図である。
【図８】本装置利用の一例、各階層間に設置運用する場合の斜視図である。
【発明実施するための最良の形態】
以下、本装置の実施の形態を図１から図８に示して説明する。このさい、上下方向搬送左右方向搬送、円形状、または、斜め方向搬送構造を代表して上下方向搬送構造において搬送スプロケットの右側にｘｃｍ偏芯して制御スプロケットを配する構造を示す。そのさい、各チェーンのガイドレール、およびピンのガイドレール図は省略する。なお、各構造において手前方側と後方側は反転構造であるゆえ手前方側を主に記し、各スプロケット部構造は上下同構造であるゆえ上部構造を主に記す。
【実施例】
【０００７】  図１の装置上部スプロケット部と装置下部スプロケット部図は装置の手前方側スプロケットと後方側スプロケットの両方を示す。後方側チェーンと手前方側チェーン部は、装置の片方、左側を示す。図１において、保管体１に取り付けるピン（１）２とバー３、および、ピン（２）４は一体組み立て構造である。ピン（１）２を通すチェーンリンクプレート５の間、およびピン（２）４を通すチェーンリンクプレート６の間は摺動回転可能である。Ｂ列搬送チェーン７は搬送スプロケット９にかかり、Ｃ列制御チェーンは制御スプロケット１０にかかる。スプロケット９と１０はＸｃｍ偏芯し、Ｂ列搬送チェーンとＣ列制御チェーンもＸｃｍ偏芯している。【０００８】  図２の上部手前方側スプロケット構造の上面視図において搬送スプロケット９は軸１１に嵌り、軸１１に駆動電動機１２を接続する。図２のＡ部を示す図においてフレーム２３に制御スプロケットベース２４を固定取り付け、軸１１はフレームと制御スプロケットベースを貫通する構造である。制御スプロケットベース２４の外周は溝形状をなし、この溝に制御スプロケット１０を嵌める。２２のベアリングは軸１１用であり、２５のベアリングは制御スプロケット１０用である。Ａ部構造により搬送スプロケット９と制御スプロケット１０の偏芯距離Ｘｃｍを小にすることを可能にする。２１は制御チェーン駆動用スプロケットであり、２７の駆動電動機により回転する。【０００９】  図７は本装置利用の一例として汚染水処理装置に関する。２８は汚染水槽、２９は汚染物質吸着剤、３０は汚染水処理層、３１は汚染処理済み水槽、３２は吸着剤再生槽である。図８は本装置利用の一例として階層間における書類、物品の搬送と収納保管を兼ね、なお各階において書類、物品の共用を可能にする装置に関する。３３は上階、３４は下階、３５と３６は事務机または、作業台、３７は本装置である。
【産業上の利用可能性】
【００１０】  本装置を利用できるところは多岐にわたる。その代表例の１，汚染水処理。その２、医院におけるカルテ収納保管、その３、各事務所、図書館、官公署における書籍書類資料保管、その４、物品製造場における部品保管、治工具保管、その５、工場、事務所、住宅において、室内空間有効利用これらにおいて物品の搬送を兼ね、有効利用、先入れ後出し防止。の６、大型の装置では車の立体駐車装置、または、円形搬送装置も可能で観覧車。以上、多岐にわたる。
【符号の説明】
【００１１】１    保管体
２    ヒン（１）
３    バー
４    ヒン（２）
５    Ｂ列チェーンリンクプレート
６    Ｃ列チェーンリンクプレート
７    Ｂ列チェーン
８    Ｃ列チェーン
９    上部手前方側搬送スプロケット
１０  上部手前方側制御スロケット
１１  搬送スプロケット駆動軸
１２  搬送スプロケット駆動で電動機
１３  下部手前方側搬送スプロケット
１４  下部手前方側制御スロケット
１５  上部後方側搬送スプロケット
１６  上部後方側制御スプロケット
１７  下部後方側搬送スプロケット
１８  下部後方側制御スプロケット
１９  Ｂ´列チェーン
２０  Ｃ´列チェーン
２１  制御チェーン駆動スプロケット
２２  搬送スプロケット駆動軸用ベアリング
２３  フレーム
２４  制御スプロケットペース
２５  制御スプロケット用ベアリング
２６  欠番
２７  制御チェーン駆動スプロケット駆動電動機
２８  汚染水槽
２９  吸着剤
３０  吸着槽
３１  汚染処理済み水槽
３２  吸着剤再生等処理層
３３  上階フロアー
３４  下階フロアー
３５  上階に設けている事務または作業机
３６  下階に設けている事務または作業机
３７  本装置  搬送保管装置
【図１】
2016108151.tif 000003
2016108151.tif 000004
【図３】
2016108151.tif 000005
【図５】
2016108151.tif 000006
【図６】
2016108151.tif 000007
【図７】
2016108151.tif 000008
【図８】
2016108151.tif 000009
【手続補正書】
【提出日】平成27年2月17日(2015.2.17)
【手続補正１】
【補正対象書類名】図面
【補正対象項目名】全図
【補正方法】変更
【補正の内容】
【図１】
2016108151.tif 000010
【図２】
2016108151.tif 000011
【図３】
2016108151.tif 000012
【図４】
2016108151.tif 000013
【図５】
2016108151.tif 000014
【図６】
2016108151.tif 000015
【図７】
2016108151.tif 000016
【図８】
2016108151.tif 000017